(57)【要約】【課題】通信端末への操作に基づく制御設定を良好に行う。【解決手段】本実施形態に係る冷蔵庫は、第１特別制御および前記第１特別制御とは異なる第２特別制御を実行する特別制御手段と、外部の通信端末が送信する第１信号を受信する信号受信手段と、前記信号受信手段が前記第１信号を受信すると、前記第１特別制御の実行を設定する第１特別制御設定手段と、使用者の操作に応じて前記第２特別制御の実行を設定する第２特別制御設定手段と、を備える。【選択図】図２
2020030018.tif 000002
【特許請求の範囲】
【請求項１】
第１特別制御および前記第１特別制御とは異なる第２特別制御を実行する特別制御手段と、
外部の通信端末が送信する第１信号を受信する信号受信手段と、
前記信号受信手段が前記第１信号を受信すると、前記第１特別制御の実行を設定する第１特別制御設定手段と、
使用者の操作に応じて前記第２特別制御の実行を設定する第２特別制御設定手段と、
を備える冷蔵庫。
【請求項２】
前記特別制御手段は、前記第２特別制御の実行が設定されている状態において所定条件が満たされると、前記第１特別制御を開始する請求項１に記載の冷蔵庫。
【請求項３】
前記信号受信手段は、前記通信端末が送信する第２信号を受信可能であり、
前記第２特別制御設定手段は、前記信号受信手段が前記第２信号を受信すると、前記第２特別制御の実行を設定する請求項１または２に記載の冷蔵庫。
【請求項４】
前記第１特別制御および前記第２特別制御は、通常制御を実行している場合よりも消費電力を抑制する節電制御であり、
前記第１特別制御の実行時における節電項目は、前記第２特別制御の実行時における節電項目よりも多い請求項１から３の何れか１項に記載の冷蔵庫。
【請求項５】
前記特別制御手段は、前記第１特別制御および前記第２特別制御とは異なる第３特別制御をさらに実行可能であり、
前記信号受信手段は、前記通信端末が送信する第３信号をさらに受信可能であり、
前記信号受信手段が前記第３信号を受信すると、前記第３特別制御の実行を設定する第３特別制御設定手段をさらに備える請求項１から４の何れか１項に記載の冷蔵庫。
【請求項６】
貯蔵室を開閉する貯蔵室扉と、
前記貯蔵室扉が開かれたことを検知する開扉検知手段と、
前記開扉検知手段により前記貯蔵室扉が開かれたことが検知されると、前記第１特別制御の実行の設定を解除する解除手段と、
をさらに備える請求項１から５の何れか１項に記載の冷蔵庫。
【請求項７】
冷蔵庫と、
前記冷蔵庫に通信可能に接続される通信端末と、
を備える冷蔵庫設定システムであって、
前記冷蔵庫は、
第１特別制御および前記第１特別制御とは異なる第２特別制御を実行する特別制御手段と、
前記通信端末が送信する第１信号を受信する信号受信手段と、
前記信号受信手段が前記第１信号を受信すると、前記第１特別制御の実行を設定する第１特別制御設定手段と、
使用者の操作に応じて前記第２特別制御の実行を設定する第２特別制御設定手段と、
を備える冷蔵庫設定システム。
【請求項８】
特別制御を実行する特別制御手段と、
外部の通信端末が送信する第１信号を受信する信号受信手段と、
前記信号受信手段が前記第１信号を受信することに応じて前記特別制御の実行を設定可能であり、且つ、使用者の操作に応じて前記特別制御の実行を設定可能である特別制御設定手段と、
を備え、
前記特別制御手段は、前記信号受信手段が前記第１信号を受信することに応じて前記特別制御の実行が設定された場合と、使用者の操作に応じて前記特別制御の実行が設定された場合とで、前記特別制御を開始するタイミングを異ならせる冷蔵庫。
【請求項９】
前記特別制御手段は、
前記信号受信手段が前記第１信号を受信することに応じて前記特別制御の実行が設定された場合には、直ちに前記特別制御を開始し、
使用者の操作に応じて前記特別制御の実行が設定された場合には、所定条件が満たされたことをトリガとして前記特別制御を開始する請求項８に記載の冷蔵庫。
【請求項１０】
冷蔵庫と、
前記冷蔵庫に通信可能に接続される通信端末と、
を備える冷蔵庫設定システムであって、
前記冷蔵庫は、
特別制御を実行する特別制御手段と、
前記通信端末が送信する第１信号を受信する信号受信手段と、
前記信号受信手段が前記第１信号を受信することに応じて前記特別制御の実行を設定可能であり、且つ、使用者の操作に応じて前記特別制御の実行を設定可能である特別制御設定手段と、
を備え、
前記特別制御手段は、前記信号受信手段が前記第１信号を受信することに応じて前記特別制御の実行が設定された場合と、使用者の操作に応じて前記特別制御の実行が設定された場合とで、前記特別制御を開始するタイミングを異ならせる冷蔵庫設定システム。
【発明の詳細な説明】
【技術分野】
【０００１】
本実施形態は、冷蔵庫、および、冷蔵庫設定システムに関する。
【背景技術】
【０００２】
例えば特許文献１に開示されているように、冷蔵庫と通信端末とを通信可能に接続し、外部の通信端末から冷蔵庫の設定を行えるようにした冷蔵庫設定システムが考えられている。
【先行技術文献】
【特許文献】
【０００３】
【特許文献１】特開２０１４−１７４８１６号公報
【発明の概要】
【発明が解決しようとする課題】
【０００４】
この種のシステムにおいては、冷蔵庫で実行可能な制御の種類を多くするほど、使用者の要求に沿った制御を実現することができ、より利便性を高めることができる。ここで、この種のシステムによれば、通信端末への操作による冷蔵庫の制御設定に加え、冷蔵庫への操作でも冷蔵庫の制御設定を行うことができる。この場合、通信端末による操作と冷蔵庫への操作とでは、操作端末が異なる。そのため、実行する制御内容も合わせて変化させることが好ましい。しかしながら、従来のシステムでは、通信端末の操作による設定と冷蔵庫への操作による設定とで、実行する制御を区別していない。
【０００５】
そこで、本実施形態は、通信端末への操作に基づく制御設定を良好に行うことを課題とする。
【課題を解決するための手段】
【０００６】
本実施形態に係る冷蔵庫は、特別制御手段、信号受信手段、第１特別制御設定手段、第２特別制御設定手段を備える。特別制御手段は、第１特別制御および前記第１特別制御とは異なる第２特別制御を実行する。信号受信手段は、外部の通信端末が送信する第１信号を受信する。第１特別制御設定手段は、前記信号受信手段が前記第１信号を受信すると、前記第１特別制御の実行を設定する。第２特別制御設定手段は、使用者の操作に応じて前記第２特別制御の実行を設定する。
【０００７】
また、本実施形態に係る冷蔵庫は、特別制御手段、信号受信手段、特別制御設定手段を備える。特別制御手段は、特別制御を実行する。信号受信手段は、外部の通信端末が送信する第１信号を受信する。特別制御設定手段は、前記信号受信手段が前記第１信号を受信することに応じて前記特別制御の実行を設定可能であり、且つ、使用者の操作に応じて前記特別制御の実行を設定可能である。そして、前記特別制御手段は、前記信号受信手段が前記第１信号を受信することに応じて前記特別制御の実行が設定された場合と、使用者の操作に応じて前記特別制御の実行が設定された場合とで、前記特別制御を開始するタイミングを異ならせる。
【０００８】
また、本実施形態に係る冷蔵庫設定システムは、冷蔵庫と、前記冷蔵庫に通信可能に接続される通信端末と、を備える冷蔵庫設定システムであって、前記冷蔵庫は、特別制御手段、信号受信手段、第１特別制御設定手段、第２特別制御設定手段を備える。特別制御手段は、第１特別制御および前記第１特別制御とは異なる第２特別制御を実行する。信号受信手段は、外部の通信端末が送信する第１信号を受信する。第１特別制御設定手段は、前記信号受信手段が前記第１信号を受信すると、前記第１特別制御の実行を設定する。第２特別制御設定手段は、使用者の操作に応じて前記第２特別制御の実行を設定する。
【０００９】
また、本実施形態に係る冷蔵庫設定システムは、冷蔵庫と、前記冷蔵庫に通信可能に接続される通信端末と、を備える冷蔵庫設定システムであって、前記冷蔵庫は、特別制御手段、信号受信手段、特別制御設定手段を備える。特別制御手段は、特別制御を実行する。信号受信手段は、外部の通信端末が送信する第１信号を受信する。特別制御設定手段は、前記信号受信手段が前記第１信号を受信することに応じて前記特別制御の実行を設定可能であり、且つ、使用者の操作に応じて前記特別制御の実行を設定可能である。そして、前記特別制御手段は、前記信号受信手段が前記第１信号を受信することに応じて前記特別制御の実行が設定された場合と、使用者の操作に応じて前記特別制御の実行が設定された場合とで、前記特別制御を開始するタイミングを異ならせる。
【図面の簡単な説明】
【００１０】
【図１】本実施形態に係る冷蔵庫設定システムの構成例を概略的に示す図
【図２】本実施形態に係る冷蔵庫の制御系の構成例を概略的に示すブロック図
【図３】本実施形態に係る冷蔵庫の操作パネルの構成例を概略的に示す図
【図４】本実施形態に係る通信端末の制御系の構成例を概略的に示すブロック図
【図５】本実施形態に係る冷蔵庫設定画面の一例を概略的に示す図
【図６】本実施形態に係る通常制御およびおでかけ制御の一例を概略的に示す図
【図７】本実施形態に係る通常制御および節電制御の一例を概略的に示す図
【図８】本実施形態に係る冷蔵庫の動作例を概略的に示すフローチャート
【発明を実施するための形態】
【００１１】
以下、冷蔵庫および冷蔵庫設定システムに係る一実施形態について図面を参照しながら説明する。図１に例示する冷蔵庫設定システム１０は、冷蔵庫１００、通信端末２００を含んで構成されている。冷蔵庫１００は、家電機器の一例であり、操作パネル１０１、通信モジュール１０２などを備えている。また、冷蔵庫１００は、例えば冷蔵室、冷凍室、野菜室、製氷室などといった複数の貯蔵室１０３を備えている。これらの貯蔵室１０３は、それぞれ貯蔵室扉１０３ａによって開閉されるようになっている。なお、貯蔵室１０３のうち冷蔵室を開閉する貯蔵室扉１０３ａは、横方向に回動する一対の回動式扉、いわゆる観音扉式の扉となっている。そして、これら一対の貯蔵室扉１０３ａの間には、図示しない縦仕切りが設けられており、この縦仕切りの内部には、結露を防止するためのヒータが設けられている。
【００１２】
また、冷蔵庫１００は、複数の貯蔵室扉１０３ａに対応して、それぞれ開扉検知センサー１０４を備えている。開扉検知センサー１０４は、開扉検知手段の一例であり、対応する貯蔵室扉１０３ａが開かれたことに応じて開扉検知信号を出力する。通信端末２００は、例えばスマートフォンなどといった携帯型の通信端末で構成されており、通信モジュール２０２を備え、冷蔵庫１００に通信可能に接続されるようになっている。
【００１３】
次に、冷蔵庫１００の制御系の構成例について説明する。図２に例示するように、冷蔵庫１００の動作全般を制御する制御装置１１０には、上述した開扉検知センサー１０４が接続されている。これにより、制御装置１１０は、開扉検知センサー１０４が出力する開扉検知信号に基づいて、貯蔵室扉１０３ａが開かれたことを検知可能に構成されている。また、制御装置１１０は、制御プログラムを実行することにより、特別制御部１２１、信号受信部１２２、おでかけ制御設定部１２３、節電制御設定部１２４、おでかけ／節電制御設定部１２５、設定解除部１２６などの各種の処理部をソフトウェアにより仮想的に実現する。なお、冷蔵庫１００は、各種の処理部をハードウェアにより構成してもよいし、ソフトウェアとハードウェアの組み合わせにより構成してもよい。
【００１４】
特別制御部１２１は、特別制御手段の一例であり、この場合、特別制御の一例として、おでかけ制御と、おでかけ制御とは異なる節電制御と、おでかけ制御および節電制御とは異なるおでかけ／節電制御と、を実行可能に構成されている。おでかけ制御は、第１特別制御の一例であり、節電制御は、第２特別制御の一例であり、おでかけ／節電制御は、第３特別制御の一例である。おでかけ制御、節電制御、おでかけ／節電制御の詳細については後述する。
【００１５】
信号受信部１２２は、信号受信手段の一例であり、外部の通信端末２００が送信する各種の信号を通信モジュール１０２を介して受信する。外部の通信端末２００が送信する信号には、おでかけ制御を設定するためのおでかけ制御設定信号Ｔ１、節電制御を設定するための節電制御設定信号Ｔ２、おでかけ／節電制御を設定するためのおでかけ／節電制御設定信号Ｔ３、特別制御の設定を解除するための設定解除信号Ｔ４などが含まれている。おでかけ制御設定信号Ｔ１は、第１信号の一例であり、節電制御設定信号Ｔ２は、第２信号の一例であり、おでかけ／節電制御設定信号Ｔ３は、第３信号の一例である。なお、通信端末２００は、独立したおでかけ／節電制御設定信号Ｔ３を送信することに代えて、おでかけ／節電制御設定信号Ｔ３として、おでかけ制御設定信号Ｔ１と節電制御設定信号Ｔ２を合わせて送信する構成としてもよい。
【００１６】
おでかけ制御設定部１２３は、第１特別制御設定手段の一例であり、信号受信部１２２がおでかけ制御設定信号Ｔ１を受信すると、おでかけ制御の実行を設定する。特別制御部１２１は、おでかけ制御設定部１２３がおでかけ制御の実行を設定することに応じて、おでかけ制御を実行するように構成されている。
【００１７】
節電制御設定部１２４は、第２特別制御設定手段の一例であり、使用者による操作パネル１０１の操作によって節電制御の実行が入力された場合に、節電制御の実行を設定する。特別制御部１２１は、節電制御設定部１２４が節電制御の実行を設定することに応じて、節電制御を実行するように構成されている。
【００１８】
ここで、冷蔵庫１００における節電制御の設定方法について具体的に説明する。図３に例示するように、冷蔵庫１００の操作パネル１０１には、各種の設定ボタン１３１ａ〜１３１ｅが設けられている。また、操作パネル１０１には、冷蔵庫１００において実行中の制御モードを示すための表示部１３１ｆが設けられている。表示部１３１ｆには、冷蔵庫１００において実行可能な複数種類の制御モードなどの名称が示されている。また、表示部１３１ｆの裏側には、複数種類の制御モードの名称にそれぞれ対応付けて、例えばＬＥＤなどの発光源が設けられている。
【００１９】
そして、節電制御を設定するための設定ボタン１３１ｅが使用者により操作されると、節電制御設定部１２４により節電制御の実行が設定され、特別制御部１２１によって節電制御が実行されるようになる。また、このとき、制御装置１１０は、表示部１３１ｆにおいて「節電」という名称が示されている部分の裏側の発光源を発光させる。これにより、冷蔵庫１００が節電制御を実行していることが視覚的に示されるようになっている。
【００２０】
なお、本実施形態では、操作パネル１０１には、複数種類の特別制御のうち、おでかけ制御の名称とおでかけ／節電制御の名称は設けられておらず、節電制御の名称が設けられている構成となっている。また、制御装置１１０は、節電制御の実行中において、再度、設定ボタン１３１ｅが操作されると、節電制御の実行の設定を解除するように構成されている。
【００２１】
また、特別制御部１２１は、節電制御の実行が設定されている状態において所定条件が満たされると、実行中の節電制御に代えて、おでかけ制御を自動的に開始するように構成されている。本実施形態では、特別制御部１２１は、おでかけ制御の実行が設定されているか否かに関わらず、節電制御の実行中において所定条件が満たされると、おでかけ制御を自動的に実行するように構成されている。また、この所定条件としては、「全ての貯蔵室の扉が連続して所定時間開かれていないこと」が設定されている。また、この所定時間としては、「２４時間」が設定されている。なお、これらの所定条件、所定時間は、適宜変更して設定することができ、例えば、制御装置１１０が冷蔵庫１００の使用状況に応じて適宜変更するように構成してもよいし、使用者による入力に基づいて変更するように構成してもよい。
【００２２】
また、節電制御設定部１２４は、信号受信部１２２が節電制御設定信号Ｔ２を受信した場合にも、節電制御の実行を設定するように構成されている。よって、使用者は、冷蔵庫１００の操作パネル１０１の操作、通信端末２００の操作の何れによっても節電制御の設定が可能である。
【００２３】
おでかけ／節電制御設定部１２５は、第３特別制御設定手段の一例であり、信号受信部１２２がおでかけ／節電信号を受信すると、おでかけ／節電制御の実行を設定する。特別制御部１２１は、おでかけ／節電制御設定部１２５がおでかけ／節電制御の実行を設定することに応じて、おでかけ／節電制御を実行するように構成されている。
【００２４】
設定解除部１２６は、解除手段の一例であり、冷蔵庫１００において設定されている各種の特別制御の実行の設定を解除する。具体的には、設定解除部１２６は、おでかけ制御の実行が設定されている状態において、開扉検知センサー１０４により何れかの貯蔵室扉１０３ａが開かれたことが検知されると、おでかけ制御の実行の設定を解除するように構成されている。そして、おでかけ制御の実行の設定が解除されることに応じて、制御装置１１０は、通常制御を実行するように構成されている。つまり、冷蔵庫１００は、貯蔵室扉１０３ａを開くという使用者の動作に応じて、おでかけ制御の実行の設定が解除された場合には、特別制御とは異なる通常制御に移行するように構成されている。
【００２５】
また、設定解除部１２６は、おでかけ／節電制御の実行が設定されている状態において、開扉検知センサー１０４により何れかの貯蔵室扉１０３ａが開かれたことが検知されると、おでかけ／節電制御の実行の設定を解除するように構成されている。そして、おでかけ／節電制御が解除されることに応じて、制御装置１１０は、節電制御を実行するように構成されている。つまり、冷蔵庫１００は、貯蔵室扉１０３ａを開くという使用者の動作に応じて、おでかけ／節電制御の実行の設定が解除された場合には、特別制御の１つである節電制御に移行するように構成されている。
【００２６】
また、設定解除部１２６は、何れかの特別制御の実行が設定されている状態において、後述する設定解除信号Ｔ４を通信端末２００から受信した場合には、その特別制御の実行の設定を解除するように構成されている。そして、特別制御が解除されることに応じて、制御装置１１０は、通常制御を実行するように構成されている。つまり、冷蔵庫１００は、通信端末２００の操作により特別制御の実行の設定が解除された場合には、実行が設定されていた特別制御の種類に関わらず、通常制御に移行するように構成されている。
【００２７】
なお、設定解除部１２６は、節電制御の実行が設定されている状態においては、開扉検知センサー１０４により何れかの貯蔵室扉１０３ａが開かれたことが検知されたとしても、節電制御の設定を解除せず、そのまま継続するように構成されている。なお、設定解除部１２６は、節電制御の実行が設定されている状態においても、開扉検知センサー１０４により何れかの貯蔵室扉１０３ａが開かれたことが検知された場合には、節電制御を解除するように構成してもよい。そして、節電制御が解除されることに応じて、制御装置１１０は、通常制御を実行するように構成してもよい。
【００２８】
次に、通信端末２００の制御系の構成例について説明する。図４に例示するように、通信端末２００の動作全般を制御する制御装置２１０には、操作部２０１、通信モジュール２０２などが接続されている。操作部２０１は、通信端末２００の表示画面上に設けられるタッチパネル式のボタン、表示画面の周囲に設けられる機械式のボタンなどを含む。制御装置２１０は、使用者による操作部２０１の操作に応じて、おでかけ制御設定信号Ｔ１、節電制御設定信号Ｔ２、おでかけ／節電制御設定信号Ｔ３、設定解除信号Ｔ４を含む複数種類の信号を生成可能に構成されている。そして、制御装置２１０は、生成した信号を、通信モジュール２０２を介して冷蔵庫１００に送信可能に構成されている。
【００２９】
図５には、通信端末２００の表示画面上に表示される冷蔵庫設定画面Ｇ１を示している。この冷蔵庫設定画面Ｇ１には、おでかけ制御を設定するためのおでかけ制御設定ボタンＢ１、節電制御を設定するための節電制御設定ボタンＢ２、おでかけ／節電制御を設定するためのおでかけ／節電制御設定ボタンＢ３、各種特別制御の設定を解除するための設定解除ボタンＢ４が設けられている。制御装置２１０は、おでかけ制御設定ボタンＢ１が操作されると、おでかけ制御設定信号Ｔ１を生成して冷蔵庫１００に送信する。また、制御装置２１０は、節電制御設定ボタンＢ２が操作されると、節電制御設定信号Ｔ２を生成して冷蔵庫１００に送信する。また、制御装置２１０は、おでかけ／節電制御設定ボタンＢ３が操作されると、おでかけ／節電制御設定信号Ｔ３を生成して冷蔵庫１００に送信する。また、制御装置２１０は、設定解除ボタンＢ４が操作されると、設定解除信号Ｔ４を生成して冷蔵庫１００に送信する。
【００３０】
次に、おでかけ制御、節電制御、おでかけ／節電制御の詳細について説明する。本実施形態では、特別制御の一例であるおでかけ制御、節電制御、おでかけ／節電制御は、何れも、冷蔵庫１００において通常制御を実行している場合よりも消費電力を抑制するようにした特別制御となっている。
【００３１】
本実施形態では、冷蔵庫１００は、冷蔵室の設定温度を「強レベル」、「やや強」レベル、「中」レベル、「やや弱」レベル、「弱レベル」の５段階で設定可能に構成されている。また、冷蔵庫１００は、冷凍室の設定温度を「強レベル」、「やや強」レベル、「中」レベル、「やや弱」レベル、「弱レベル」の５段階で設定可能に構成されている。また、冷蔵庫１００は、製氷動作のインターバル、つまり、製氷のための給水を行わない期間を調整可能に構成されている。また、冷蔵庫１００は、操作パネル１０１のＬＥＤの発光状態を、点灯、点滅、消灯の３状態に切り替え可能に構成されている。また、冷蔵庫１００は、冷蔵室の縦仕切りのヒータの出力を調整可能に構成されている。
【００３２】
このような構成例の冷蔵庫１００において、通常制御では、冷蔵室の設定温度は「中」レベル、冷凍室の設定温度は「中」レベル、製氷動作のインターバルは「通常期間」、操作パネル１０１の「節電」に対応するＬＥＤの発光状態は「非点灯」状態、冷蔵室の縦仕切りのヒータの出力は「通常」レベルに設定される。なお、製氷動作のインターバルについての「通常期間」、冷蔵室の縦仕切りのヒータの出力についての「通常」レベルは、例えば冷蔵庫１００の機種などに応じて、適宜変更して設定することができる。
【００３３】
例えば以上のように設定される通常制御に対し、複数種類の特別制御においては、例えば次のように設定される。図６に例示するように、おでかけ制御では、冷蔵室の設定温度は「やや弱」レベルに設定され、冷凍室の設定温度も「やや弱」レベルに設定される。また、おでかけ制御では、冷蔵室の縦仕切りのヒータの出力は「通常」レベルよりも低出力である「低」レベルに設定される。また、おでかけ制御では、製氷動作のインターバルは「通常期間」よりも長い「長」期間に設定される。また、おでかけ制御では、操作パネル１０１の「節電」に対応するＬＥＤの発光状態は「点滅」状態に設定され、さらに、所定時間、例えば１０秒間操作が無い場合には「消灯」状態に切り替えられる。なお、このとき、操作パネル１０１の「節電」以外の表示に対応するＬＥＤの発光状態は、例えば「消灯」状態に設定するとよい。以上の通り、おでかけ制御において調整する節電項目は、冷蔵室の設定温度、冷凍室の設定温度、冷蔵室の縦仕切りのヒータの出力、製氷動作のインターバル、操作パネル１０１のＬＥＤの発光状態の５項目となっている。
【００３４】
次に、図７に例示するように、節電制御では、冷蔵室の設定温度は「やや弱」レベルに設定され、冷凍室の設定温度も「やや弱」レベルに設定される。また、節電制御では、冷蔵室の縦仕切りのヒータの出力は「低」レベルに設定される。また、節電制御では、操作パネル１０１の「節電」に対応するＬＥＤの発光状態は「点滅」状態に設定され、さらに、所定時間、例えば１０秒間操作が無い場合に「消灯」状態に切り替えられる。なお、このとき、操作パネル１０１の「節電」以外の表示に対応するＬＥＤの発光状態は、例えば「消灯」状態に設定するとよい。また、この節電制御においては、製氷動作のインターバルは調整されず、通常制御と同様に「通常期間」で維持される。以上の通り、おでかけ制御において調整する節電項目は、冷蔵室の設定温度、冷凍室の設定温度、冷蔵室の縦仕切りのヒータの出力、操作パネル１０１のＬＥＤの発光状態の４項目となっている。
【００３５】
おでかけ／節電制御は、基本的には、上述したおでかけ制御と同様である。但し、上述した通り、おでかけ制御は、貯蔵室扉１０３ａが開かれたことに応じて設定が解除された場合に通常制御に移行するように構成されているのに対し、おでかけ／節電制御では、貯蔵室扉１０３ａが開かれたことに応じて設定が解除された場合に節電制御に移行するように構成されている。このように、設定が解除された場合にどの制御に移行するのかという点で、おでかけ／節電制御は、おでかけ制御と異なっている。また、おでかけ／節電制御は、操作パネル１０１の「節電」に対応するＬＥＤの発光状態が「点滅」状態のまま維持される点つまり「消灯」状態に移行しない点においても、おでかけ制御と異なっている。
【００３６】
次に、上述したように構成される冷蔵庫１００の動作例について説明する。図８に例示するように、冷蔵庫１００の制御装置１１０は、通信端末２００から、おでかけ制御設定信号Ｔ１を受信したか否か（Ｓ１）、節電制御設定信号Ｔ２を受信したか否か（Ｓ２）、おでかけ／節電制御設定信号Ｔ３を受信したか否か（Ｓ３）、を監視している。つまり、制御装置１１０は、この動作を開始すると、おでかけ制御設定信号Ｔ１、節電制御設定信号Ｔ２、おでかけ／節電制御設定信号Ｔ３を受信したか否かを並列的に監視する。そして、制御装置１１０は、通信端末２００からおでかけ制御設定信号Ｔ１を受信した場合には（Ｓ１：ＹＥＳ）、おでかけ制御の実行を設定し、直ちにおでかけ制御の実行を開始する（Ｓ４）。また、制御装置１１０は、通信端末２００から節電制御設定信号Ｔ２を受信した場合には（Ｓ２：ＹＥＳ）、節電制御の実行を設定し、直ちに節電制御の実行を開始する（Ｓ５）。また、制御装置１１０は、通信端末２００からおでかけ／節電制御設定信号Ｔ３を受信した場合には（Ｓ３：ＹＥＳ）、おでかけ／節電制御の実行を設定し、直ちにおでかけ／節電制御の実行を開始するする（Ｓ６）。
【００３７】
制御装置１１０は、おでかけ制御の実行中においては、何れかの貯蔵室扉１０３ａが開かれたか否か（Ｓ７）、通信端末２００から設定解除信号Ｔ４を受信したか否か（Ｓ８）、を監視する。そして、制御装置１１０は、貯蔵室扉１０３ａが開かれた場合には（Ｓ７：ＹＥＳ）、おでかけ制御の実行の設定を解除し（Ｓ９）、通常制御に移行する（Ｓ１０）。また、制御装置１１０は、通信端末２００から設定解除信号Ｔ４を受信した場合にも（Ｓ８：ＹＥＳ）、おでかけ制御の実行の設定を解除し（Ｓ９）、通常制御に移行する（Ｓ１０）。また、制御装置１１０は、通信端末２００から設定解除信号Ｔ４を受信しない場合には（Ｓ８：ＮＯ）、この動作を終了する。
【００３８】
また、制御装置１１０は、節電制御の実行中においては、全ての貯蔵室扉１０３ａが閉鎖された状態が所定時間、この場合、２４時間経過したか否かを監視する（Ｓ１１）。なお、貯蔵室扉１０３ａの閉鎖状態の経過時間の計測は、制御装置１１０が備える図示しないタイマによって計測することができる。制御装置１１０は、節電制御の実行を開始すると（Ｓ５）、貯蔵室扉１０３ａの閉鎖状態の経過時間の計測を開始する。また、この図８に示す動作例が複数回繰り返される過程において、ステップＳ５の処理が繰り返し実行される場合においては、制御装置１１０は、ステップＳ５の処理ごとに貯蔵室扉１０３ａの閉鎖状態の経過時間の計測を開始するのではなく、既に計測が開始されている場合には、そのままその計測を継続する。そして、制御装置１１０は、貯蔵室扉１０３ａの閉鎖状態が所定時間経過した場合には（Ｓ１１：ＹＥＳ）、ステップＳ４に移行して、おでかけ制御の実行を設定し、おでかけ制御の実行を開始する（Ｓ４）。
【００３９】
制御装置１１０は、節電制御の実行開始から所定時間が経過していない状態では（Ｓ１１：ＮＯ）、節電用の設定ボタン１３１ｅが操作されたか否か（Ｓ１２）、通信端末２００から設定解除信号Ｔ４を受信したか否か（Ｓ１３）、を監視する。そして、制御装置１１０は、節電用の設定ボタン１３１ｅが操作された場合には（Ｓ１２：ＹＥＳ）、節電制御の実行の設定を解除し（Ｓ１４）、通常制御に移行する（Ｓ１５）。また、制御装置１１０は、通信端末２００から設定解除信号Ｔ４を受信した場合にも（Ｓ１３：ＹＥＳ）、節電制御の実行の設定を解除し（Ｓ１４）、通常制御に移行する（Ｓ１５）。また、制御装置１１０は、通信端末２００から設定解除信号Ｔ４を受信しない場合には（Ｓ１３：ＮＯ）、この動作を終了する。
【００４０】
また、制御装置１１０は、おでかけ／節電制御の実行中においては、何れかの貯蔵室扉１０３ａが開かれたか否か（Ｓ１６）、通信端末２００から設定解除信号Ｔ４を受信したか否か（Ｓ１７）、を監視する。そして、制御装置１１０は、貯蔵室扉１０３ａが開かれた場合には（Ｓ１６：ＹＥＳ）、おでかけ／節電制御の実行の設定を解除し（Ｓ１８）、節電制御に移行する（Ｓ１９）。また、制御装置１１０は、通信端末２００から設定解除信号Ｔ４を受信した場合にも（Ｓ１７：ＹＥＳ）、おでかけ制御の実行の設定を解除し（Ｓ１８）、通常制御に移行する（Ｓ１９）。また、制御装置１１０は、通信端末２００から設定解除信号Ｔ４を受信しない場合には（Ｓ１７：ＮＯ）、この動作を終了する。
【００４１】
制御装置１１０は、以上の動作例を繰り返し実行しており、それぞれの動作開始時においては、おでかけ制御設定信号Ｔ１を受信したか否か（Ｓ１）、節電制御設定信号Ｔ２を受信したか否か（Ｓ２）、おでかけ／節電制御設定信号Ｔ３を受信したか否か（Ｓ３）、を並列的に監視するようになっている。
【００４２】
ここで、例えば、１回目の動作でステップＳ８にてＮＯ判定により制御を終了した場合、制御装置１１０は、図示しないメモリに、おでかけ制御実行中であることを示すフラグ１を設定する。そして、２回目の動作開始時においては、制御装置１１０は、おでかけ制御の実行を継続した状態で、信号受信の監視を並列的に行う（Ｓ１，Ｓ２，Ｓ３）。そして、制御装置１１０は、２回目の動作開始時において、おでかけ制御設定信号Ｔ１を受信した場合には（Ｓ１：ＹＥＳ）、おでかけ制御実行中であることを示すフラグ１が設定されていることから、そのままおでかけ制御を継続する。一方、制御装置１１０は、２回目の動作開始時において、節電制御設定信号Ｔ２を受信した場合には（Ｓ２：ＹＥＳ）、おでかけ制御実行中であることを示すフラグ１が設定されていることから、おでかけ制御から節電制御に切り替える。また、制御装置１１０は、２回目の動作開始時において、おでかけ／節電制御設定信号Ｔ３を受信した場合には（Ｓ３：ＹＥＳ）、おでかけ制御実行中であることを示すフラグ１が設定されていることから、おでかけ制御からおでかけ／節電制御に切り替えることになる。なお、制御装置１１０は、おでかけ制御の実行を解除した場合（Ｓ９）、新たに節電制御設定信号Ｔ２を受信した場合（Ｓ２：ＹＥＳ）、新たにおでかけ／節電制御設定信号Ｔ３を受信した場合（Ｓ３：ＹＥＳ）、新たに設定解除信号Ｔ４を受信した場合（Ｓ８：ＹＥＳ）に、フラグ１の設定を解除する。
【００４３】
また、例えば、１回目の動作でステップＳ１３にてＮＯ判定により制御を終了した場合、制御装置１１０は、図示しないメモリに、節電制御実行中であることを示すフラグ２を設定する。そして、２回目の動作開始時においては、制御装置１１０は、節電制御の実行を継続した状態で、信号受信の監視を並列的に行う（Ｓ１，Ｓ２，Ｓ３）。そして、制御装置１１０は、２回目の動作開始時において、節電制御設定信号Ｔ２を受信した場合には（Ｓ２：ＹＥＳ）、節電制御実行中であることを示すフラグ２が設定されていることから、そのまま節電制御を継続する。一方、制御装置１１０は、２回目の動作開始時において、おでかけ制御設定信号Ｔ１を受信した場合には（Ｓ１：ＹＥＳ）、節電制御実行中であることを示すフラグ２が設定されていることから、節電制御からおでかけ制御に切り替える。また、制御装置１１０は、２回目の動作開始時において、おでかけ／節電制御設定信号Ｔ３を受信した場合には（Ｓ３：ＹＥＳ）、節電制御実行中であることを示すフラグ２が設定されていることから、節電制御からおでかけ／節電制御に切り替えることになる。なお、制御装置１１０は、節電制御の実行を解除した場合（Ｓ１４）、新たにおでかけ制御設定信号Ｔ１を受信した場合（Ｓ１：ＹＥＳ）、新たにおでかけ／節電制御設定信号Ｔ３を受信した場合（Ｓ３：ＹＥＳ）、新たに設定解除信号Ｔ４を受信した場合（Ｓ１３：ＹＥＳ）に、フラグ２の設定を解除する。
【００４４】
また、例えば、１回目の動作でステップＳ１７にてＮＯ判定により制御を終了した場合、制御装置１１０は、図示しないメモリに、おでかけ／節電制御実行中であることを示すフラグ３を設定する。そして、２回目の動作開始時においては、制御装置１１０は、おでかけ／節電制御の実行を継続した状態で、信号受信の監視を並列的に行う（Ｓ１，Ｓ２，Ｓ３）。そして、制御装置１１０は、２回目の動作開始時において、おでかけ／節電制御設定信号Ｔ３を受信した場合には（Ｓ３：ＹＥＳ）、おでかけ／節電制御実行中であることを示すフラグ３が設定されていることから、そのままおでかけ／節電制御を継続する。一方、制御装置１１０は、２回目の動作開始時において、おでかけ制御設定信号Ｔ１を受信した場合には（Ｓ１：ＹＥＳ）、おでかけ／節電制御実行中であることを示すフラグ３が設定されていることから、おでかけ／節電制御からおでかけ制御に切り替える。また、制御装置１１０は、２回目の動作開始時において、節電制御設定信号Ｔ２を受信した場合には（Ｓ２：ＹＥＳ）、おでかけ／節電制御実行中であることを示すフラグ３が設定されていることから、おでかけ／節電制御から節電制御に切り替えることになる。なお、制御装置１１０は、おでかけ／節電制御の実行を解除した場合（Ｓ１８）、新たにおでかけ制御設定信号Ｔ１を受信した場合（Ｓ１：ＹＥＳ）、新たに節電制御設定信号Ｔ２を受信した場合（Ｓ２：ＹＥＳ）、新たに設定解除信号Ｔ４を受信した場合（Ｓ１７：ＹＥＳ）に、フラグ３の設定を解除する。
【００４５】
なお、上述の動作例においては、節電用の設定ボタン１３１ｅが操作されたことに応じて、おでかけ制御の設定を解除（Ｓ９）するようにしてもよいし、おでかけ／節電制御の設定を解除（Ｓ１８）するようにしてもよい。また、節電用の設定ボタン１３１ｅの操作によっては、おでかけ制御の設定を解除できないようにしてもよい。
【００４６】
本実施形態によれば、冷蔵庫１００で実行可能な複数種類の制御の全てではなく一部、この場合、おでかけ制御を外部の通信端末２００からは設定可能に構成した。これにより、通信端末２００への操作に基づくおでかけ制御の設定を良好に行うことができる。また、冷蔵庫１００においておでかけ制御を設定するための設定ボタンなどを設ける必要を無くすことができ、冷蔵庫１００において複数種類の制御を実行可能に構成しつつも、冷蔵庫１００の構成や制御の複雑化を抑制することができる。
【００４７】
また、本実施形態によれば、冷蔵庫１００は、節電制御の実行が設定されている状態において所定条件が満たされると、おでかけ制御を自動的に開始するように構成した。この構成によれば、所定条件、例えば、節電制御の実行中において貯蔵室扉１０３ａの閉鎖状態が所定時間経過したことを条件に自動的におでかけ制御に移行することができる。よって、使用者がおでかけしている可能性が高い場合に、自動的におでかけ制御に移行して消費電力を抑制することができる。
【００４８】
また、本実施形態によれば、冷蔵庫１００は、通信端末２００から節電制御設定信号Ｔ２を受信することによっても節電制御の実行を設定するように構成した。この構成によれば、使用者は、外出先からでも節電制御の実行を設定することができ、より利便性の高いシステムを提供することができる。
【００４９】
また、本実施形態によれば、おでかけ制御の実行時における節電項目を、節電制御の実行時における節電項目よりも多くするように構成した。従って、おでかけ制御によれば、節電制御よりも消費電力を一層抑制することができる。
【００５０】
また、本実施形態によれば、冷蔵庫１００は、通信端末２００からおでかけ／節電制御設定信号Ｔ３を受信することによって、おでかけ／節電制御の実行を設定するように構成した。このように冷蔵庫１００で実行可能な特別制御の種類を多くすることにより、使用者が要求する節電レベルに応じた最適な特別制御を提供することができる。なお、冷蔵庫１００は、さらに４種類以上の複数種類の特別制御を実行可能に構成してもよい。
【００５１】
また、本実施形態によれば、冷蔵庫１００は、おでかけ制御の実行中において、開扉検知センサー１０４により貯蔵室扉１０３ａが開かれたことが検知されると、おでかけ制御の実行の設定を解除するように構成した。ここで、冷蔵庫１００の貯蔵室扉１０３ａが開かれるということは、使用者が在宅中であることを意味する。本実施形態によれば、冷蔵庫１００の貯蔵室扉１０３ａが開かれることを以って、使用者が在宅中であると見做して、おでかけ制御の設定を自動的に解除される。そのため、帰宅時におでかけ制御を解除するための操作を不要とすることができ、使用者の手間を省くことができる。
【００５２】
また、本実施形態によれば、冷蔵庫１００は、通信端末２００からおでかけ制御設定信号Ｔ１を受信することに応じておでかけ制御の実行が設定された場合つまり使用者が外出先から特別制御の実行を設定した場合には、直ちにおでかけ制御を開始し、一方、使用者の操作パネル１０１の操作に応じて節電制御の実行が設定された場合つまり使用者が在宅時に特別制御の実行を設定した場合には、所定条件が満たされたことをトリガとしておでかけ制御を開始する。つまり、本実施形態に係る冷蔵庫１００によれば、使用者が外出先から特別制御の実行を設定した場合と、使用者が在宅時に特別制御の実行を設定した場合とで、その設定された特別制御を開始するタイミングを異ならせるように構成した。このように、使用者が特別制御の実行を設定した状況に応じて特別制御の開始タイミングを異ならせることにより、使用者の状況に合わせた特別制御の実行を実現することができる。
【００５３】
なお、冷蔵庫１００は、通信端末２００から特別制御の実行を設定した場合には、設定から所定時間経過してからおでかけ制御を開始するように構成してもよい。つまり、冷蔵庫１００は、通信端末２００から設定された特別制御の実行開始を待機する構成としてもよい。この場合、通信端末２００から設定された特別制御の実行開始タイミングは、少なくとも、冷蔵庫１００から設定された特別制御の実行開始タイミングよりも早いタイミングにするとよい。具体的には、通信端末２００から設定された特別制御の実行開始タイミングを、冷蔵庫１００から設定された特別制御の実行開始タイミングよりも所定時間、少なくとも５分以上、早いタイミングにするとよい。
【００５４】
また、本実施形態が適用される特別制御は、冷蔵庫１００の消費電力を抑制する節電系の制御に限られるものではなく、例えば、操作パネル１０１のＬＥＤの表示に係る制御であってもよい。この場合、第１の表示制御は通信端末２００から設定可能とし、第２の表示制御は冷蔵庫１００の操作パネル１０１から設定可能に構成するとよい。また、第１の表示制御は、使用者が外出先から設定されることが想定されるから、できるだけＬＥＤを「消灯」状態とする制御とするとよい。また、第２の表示制御は、使用者が在宅している状態で設定されることが想定されるから、できるだけＬＥＤを「点灯」状態および「消灯」状態以外の状態、例えば、「点滅」状態とする制御とするとよい。
【００５５】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００５６】
図面中、１０は冷蔵庫設定システム、１００は冷蔵庫、１０３は貯蔵室、１０３ａは貯蔵室扉、１０４は開扉検知センサー（開扉検知手段）、１２１は特別制御部（特別制御手段）、１２２は信号受信部（信号受信手段）、１２３はおでかけ制御設定部（特別制御設定手段、第１特別制御設定手段）、１２４は節電制御設定部（特別制御設定手段、第２特別制御設定手段）、１２５はおでかけ／節電制御設定部（特別制御設定手段、第３特別制御設定手段）、１２６は設定解除部（解除手段）、２００は通信端末を示す。
【図１】
2020030018.tif 000003
【図２】
2020030018.tif 000004
【図３】
2020030018.tif 000005
【図４】
2020030018.tif 000006
【図５】
2020030018.tif 000007
【図６】
2020030018.tif 000008
【図７】
2020030018.tif 000009
【図８】
2020030018.tif 000010